(57)【要約】【課題】異物侵入防止又は、遮熱及び遮光機能を有する建造物通気部に用いられる通気体において、安価であってしかも施工が容易であり、且つ普及している様々な大きさの網戸等にも同様な固定方法にて装着できる遮蔽部付き通気体を実現する。さらに遮蔽部の所定部位の色彩変更や、外観形状に好みの意匠を持たせることを可能にする。【解決手段】通気部材に、丸形断面又は異形断面を有し平面方向に延伸する長棒状部材又は丸形断面又は異形断面を有し垂直方向に突出する凸状部材を有する遮蔽部材を平面の各方向に所定間隔にて備え、遮蔽部材は異物侵入防止、遮熱及び遮光機能を有する遮体部と、断面外周に通気部材をつなげる接合部にて通気部材と遮蔽部材とを一体的に形成する。また、遮蔽部材にさらに異物侵入防止、遮熱及び遮光機能を高めた意匠の異なる覆体を付帯する。【選択図】    図１３
2008025101.tif 000002
【特許請求の範囲】
【請求項１】
建造物通気部に用いる網体または多孔体からなる通気部材（１）に遮蔽部材（２）を一体的に接合してなる遮蔽部材付き通気部材であって、前記通気部材はその表面と裏面を通る丸形断面または異形断面からなる長棒状に形成した遮蔽部材（２）を通気部材（１）と一体的に接合部（５）で前記網体の網線周囲を溶着材が充填して接合する、または前記多孔体の多孔部に溶着材が通って接合して、平面方向の各方向に所定間隔あけて複数設けてあるとともに、通気部材（１）はリール（２７）に対して巻き込みまたは巻き戻し可能であり巻き込んで輸送し巻き戻し伸ばして建造物通気部に用いることが可能であるとともに、通気部材（１）が切断後に切断端部からのほつれまたは裂けるのを遮蔽部材（２）にて防止してあることを特徴とする遮蔽部材付き通気部材。
【請求項２】
建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向にジグザグ状または波形状に所定間隔あけて複数設けるあるいは一方の遮蔽部材（２）が他方の遮蔽部材（２）と交差して設ける、または縦横の各方向に所定間隔で通気部材（１）の表裏を通る異形断面を有し垂直方向に突出する凸状部材を点在して設ける、のいずれかの設定にて設けてあるとともに、通気部材（１）が切断後に切断端部からのほつれまたは裂けるのを遮蔽部材（２）にて防止してあることを特徴とする遮蔽部材付き通気部材。
【請求項３】
通気部材（１）と遮蔽部材（２）とをはがして分離する際に、通気部材（１）の材質よりも脆弱な材質に遮蔽部材（２）を設定し、通気部材（１）から遮蔽部材（２）をはがし取っても通気部材（１）に損傷を与えない接合力を接合部（５）が有することを特徴とする請求項１または２に記載の遮蔽部材付き通気部材。
【請求項４】
通気部材（１）と遮蔽部材（２）とをはがして分離する際に、通気部材（１）は遮蔽部材（２）よりも耐熱強度が高く、遮蔽部材（２）の接合部（５）を温めて柔らかくして接合力を弱めた状態にて通気部材（１）から遮蔽部材（２）をはがし取っても通気部材（１）に損傷を与えないことを特徴とする請求項１〜３に記載の遮蔽部材付き通気部材。
【請求項５】
前記請求項１〜４に記載の遮蔽部材（２）に覆体（３）を取り付けてなる遮蔽部材付き通気部材であって、遮蔽部材（２）の取付部（６）に付帯部品となる覆体（３）が異物侵入防止、遮熱、遮光のいずれかの機能を高めることまたは複数の覆体（３）のそれぞれが意匠の異なる組み合わせにて嵌合することを特徴とする覆体。
【請求項６】
前記建造物開口部には上下枠材と左右枠材とで枠組みされた枠体が設置され、該枠体は網材押さえ用溝部を備えており、前記通気部材（１）と遮蔽部材（２）の縁部を網材押さえによって網材押さえ用溝部に押し込み固定して枠体に通気部材（１）を張設したことを特徴とする請求項１または２記載の遮蔽部材付き通気部材を用いた建具、
または前記建造物通気部には上下支持材または左右支持材で所定間隔に複数設置され、該支持材は奥が広い溝（５０）部を備えており、前記通気部材（１）と遮蔽部材（２）の縁部を押さえ板（４７Ａ、４７Ｂ）と雄ネジ（４８）と雌ネジ（５１）によって締固定して支持材に通気部材（１）を張設したことを特徴とする請求項１〜５に記載の遮蔽部材付き通気部材を用いた建具。
【発明の詳細な説明】
【技術分野】
【０００１】
本発明は、建造物通気部の複数の支持材間あるいは枠に用いられる複数の遮蔽部材を所定の間隔に備えた遮蔽部材付き通気部材（網材）及び覆体を用いた装着物に関するものである。
【背景技術】
【０００２】
建造物外部の面にルーバー又は暖簾を用いた建具の実施例があり、建造物内部と外部との換気や、調湿、調温、日光の当たりすぎ防止、防虫、防塵、防犯、防水、防風、遮熱、夜間の外部への遮光、プライバシーの保護、外観意匠の変更や、ルーバーを透過する光の変更、ルーバーを反射する部材の変更等ができるルーバーがあり、そのルーバー又は暖簾又は簾を所定の長さに設定して形成した遮蔽部材付き通気部材があった。
【０００３】
一方、下記文献の実全昭６３−１７３４９９に示すように網体に添着層を設けて所定の図柄を表現するデザイン網戸とする文献が知られている。
【０００４】
【特許文献１】実全昭６３−１７３４９９
【発明の開示】
【発明が解決しようとする課題】
【０００５】
しかしながら、実全昭６３−１７３４９９は網体に印刷塗膜、合成樹脂フイルム、刺繍のいずれかを施して添着層を設ける例であり、通気性は多少減少するが、意匠性の向上や、雨水の浸入防止や、遮光性や目隠し効果の増大に効果が認められている。しかし、添着層は薄い層を付加したものであるため網体の強度を多少上げることは可能であるが大きく強度を上げることは難しい。さらに、薄い層を付加したものであるため網体に立体的に突出する遮蔽物を設けたルーバー又は暖簾を用いた建具に比べ雨水の浸入防止または、遮光性や目隠し効果が劣る（添着層は薄い平面状のため上下左右の特に斜め方向からの視線を遮ることが立体的に突出する遮蔽物を設けたものに比べて難しく、添着層の面積を広く設定すれば通気性と採光性が悪くなってしまう）と考えられる。そこで上記の効果をさらに高め、且つ外力に対し高強度の通気部材を実現する課題がある。
【０００６】
建造物外部の面に遮蔽部付きの網戸を設置する場合はルーバー及び暖簾等を用いた建具の実施例では、網体の他にルーバー又は暖簾、簾が必要であり、その網戸の設置面積に合わった縦横の長さに切断し、さらに取付部品も追加して組み合わせるものがほとんどであり、構造が複雑であるばかりか、部品点数が多いため高価になっている。または、天然素材を用いた場合は腐敗が早く進むため、取替え頻度が高くさらにカビの発生にて衛生に悪い環境となることを軽減する課題がある。また、花粉防止シートに織物を使用した場合は網戸の網材に通常の網材押さえ用溝部に網材押さえ（チューブ）を押し込んで張設することが難しく、シワや弛みが発生しやすく、さらに裂け易いため単独で張設することよりも網材と二重に張設することを推奨されている。そこで花粉防止シートの装着性を良好にする、または素材強度に優れたものが求められる。また、個人が複数の遮蔽部材間の間隔を等間隔等に規則性を保って遮蔽部材を装着することは難しく位置ズレが発生してしまうことがある。そこで、安価であって同様の機能を有し、さらに装着を容易にし美観の優れる通気部材を実現し、できれば同じ装着方法にて施工できる通気部材を実現する課題がある。
【０００７】
一方、建造物開口部の支持部材間あるいは枠、戸の規格違いや、建造物の歪等に起因する場合も含め様々な大きさの設置場所に合わせることができ、さらに、新規の製品にのみ装着可能なものでなく既存の設備にも柔軟に対応する通気部材（網材や多孔体）を必要面積に切断して使用する場合があったが、切断後に切断端部からのほつれまたは裂ける場合があり作業を難しくし、さらに装着後にも切断端部からのほつれまたは裂けによって耐久性を低下させる原因になる、または美観を低下させることがあったが、切断端部からのほつれまたは裂けることを無くす課題がある。
【０００８】
また、輸送費を抑えるため梱包サイズ小さくできる通気部材（網材）を実現すること。さらに、部材の無駄を減らすことを実現する課題がある。
【０００９】
また、通気部材（網体）に様々な色や模様を設けることや、透過する部材を組み合わせて使用することにより、様々な意匠や採光に対応できる通気部材を実現する課題がある。
【課題を解決するための手段】
【００１０】
ここで、遮蔽部材付き通気部材とは、建造物通気部（建造物開口部）に用い、換気や、調湿、調温、日光の当たりすぎ防止、防虫、防塵、防犯、防水、防風、遮熱、夜間の外部への遮光、窓ガラスの屋内側の結露防止、プライバシーの保護などの、単一あるいは複数の目的に使われるものであり、遮蔽部材（各種の色、柄、透明度を選択できる）と通気部材（網体、孔付きシート、多孔体）を一体的に形成したものである。
【００１１】
本発明は請求項１として、建造物通気部に用いる網体または多孔体からなる通気部材（１）に遮蔽部材（２）を一体的に接合してなる遮蔽部材付き通気部材であって、前記通気部材はその表面と裏面を通る丸形断面または異形断面からなる長棒状に形成した遮蔽部材（２）を通気部材（１）と一体的に接合部（５）で前記網体の網線周囲を溶着材が充填して接合する、または前記多孔体の多孔部に溶着材が通って接合して、平面方向の各方向に所定間隔あけて複数設けてあるとともに、通気部材（１）はリール（２７）に対して巻き込みまたは巻き戻し可能であり巻き込んで輸送し巻き戻し伸ばして建造物通気部に用いることが可能であるとともに、通気部材（１）が切断後に切断端部からのほつれまたは裂けるのを遮蔽部材（２）にて防止してあることを特徴とする遮蔽部材付き通気部材とし、通気部材はその表面から裏面を越えて通る場合と表面から裏面を越えず同一面までに通る場合がある。また、遮蔽部に対し所定部位の色彩変更や、外観形状に意匠性を持たせる場合または異物侵入防止、遮熱及び遮光機能を高めた意匠の異なる覆体を付帯する場合は建造物開口部に用いる、網体または孔付きシートからなる通気部材（１）に覆体（３）を取り付けてなる遮蔽部付き通気部材であって、前記通気部材（１）はその表面または裏面に丸形断面または異形断面からなる長棒状部材で形成した取付部（６）を有する遮蔽部材（２）を通気部材（１）と一体的に接合部（５）で接合して、縦あるいは横方向または斜め方向に所定間隔あけて複数設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記遮蔽部材（２）の取付部（６）に付帯部品となる覆体（３）を着脱可能に嵌合してあることを特徴とする遮蔽部材付き通気部材とする場合もある。また、通気部材は建造物開口部の左右縦支持部材間または、上下横支持部材間あるいは、上下枠材と左右枠材とで枠組された枠体もしくは、建造物開口部に張設して通気する通気する部材にあって、通気部材（１）の表面又は裏面から、丸形断面又は異形断面を有し平面方向に延伸する長棒状部材又は丸形断面又は異形断面を有し垂直方向に突出する凸状部材を有する遮蔽部材（２）を縦方向又は横方向に所定間隔にて備え、遮蔽部材（２）は遮体部（１７）と、断面外周に通気部材（１）とをつなげる接合部（５）とを有し、遮体部（１７）は異物侵入防止、遮熱及び遮光機能を有する部分であり、接合部（５）は通気部材（１）と遮蔽部材（２）とを接する部分であり、通気部材（１）と遮蔽部材（２）とを接合部（５）にて一体的に形成する。さらに説明すれば（ネット状）通気部材は、合成樹脂や金属等の板状材に貫通孔を設ける（打ち抜き等）や、織物、編物（平織り等）に代表される通気性がある網材や、花粉侵入防止シート等が有り、その通気部材（網材）に接着、（熱）溶着、溶接、圧着、刺着、カシメ、嵌着、縫着、係合、縛合、の各接合したものにさらに、（熱）溶着をすることでより強固にまたは意匠に富む構成が可能となる場合も有り（金型による樹脂成型射出成形又は真空成形の場合も有る）各種公知の技術等にて遮蔽部材を取り付けられる場合が有り、また、シート状の無通気フイルムにスリットや加熱（射出成形又は真空成形の場合も有る）する金型を使用して、表面又は裏面に複数の凹部又は凸部を形成する遮蔽部材を設け、さらに害虫の入らない程度（２ｍｍ程度以下）の通気口を設けられる場合があり、どちらの場合においてもロール状に巻いた製品を連続的に金型成形加工にて生産することが可能である。（公知の技術なので図示せず）また、（ネット状）通気部材は通常量産されていのものであっても遮蔽部材に棒状または粒状の金属や、セラミック、ファイバー（高強度の芯材を用いた複合材を使用しても良い）等を混入して使用することで強度が上げることができるため防犯に寄与する設定も可能である。なお、遮蔽部材付き通気部材の建造物開口部への装着方法は装着材に当接させて押さえ板とネジによる固定や、磁石や、粘着テープや、クリップや、その他公知の組み合わせにて対応可能である。なお、遮蔽部材は直線だけでなく曲線にすることや、縦方向と横方向を組み合わせて例えば格子状にする場合もある。なお、遮体部を通気部材面より外面側に凸部を形成することで異物との接触による破損から通気部材を守ることや、異物侵入防止をする働きがあり、この凸部は１ｍｍ以下であっても無いものと比べると強度が大幅に増大すると共にプライバシーの保護の観点では、遮蔽部材と直交する方向からが最も遮光できることから、遮蔽部材を縦方向に並べた場合は左右斜め方向からの、遮蔽部材を横方向に並べた場合は上下斜め方向からの視線を遮る効果が増大する。なお、普及タイプの網戸の一部にみられる、枠体に設けられた網材押さえ用溝に通気部材を弾性チューブにて押し込み固定する場合はその押さえ溝の幅と深さが８ｍｍ以下のものが多く存在しているため遮蔽部材の凸部の凸出量は３ｍｍ以下（少なくても押さえ溝の幅と深さの半分以下）にすると固着が容易となる。また、遮体部の大きさと、不透明、（半）透明、及び色により透光量の各種設定をすることにより遮熱及び遮光をする働きがある。これにより夏場等に屋内に太陽光が入り眩しすぎるまたは、室温が上昇することを抑える働きがある。
【００１２】
本発明は請求項２として、建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向にジグザグ状または波形状に所定間隔あけて複数設けるあるいは一方の遮蔽部材（２）が他方の遮蔽部材（２）と交差して設ける、または縦横の各方向に所定間隔で通気部材（１）の表裏を通る異形断面を有し垂直方向に突出する凸状部材を点在して設ける、のいずれかの設定にて設けてあるとともに、通気部材（１）が切断後に切断端部からのほつれまたは裂けるのを遮蔽部材（２）にて防止してあることを特徴とする遮蔽部材付き通気部材とする。ここでプライバシーの保護の観点では、遮蔽部材と直交する方向からが最も遮光することから、平面方向にジグザグ状または波形状に所定間隔あけて複数設けるあるいは一方の遮蔽部材（２）が他方の遮蔽部材（２）と交差して設ける、または縦横の各方向に所定間隔で通気部材（１）の表裏を通る異形断面を有し垂直方向に突出する凸状部材を点在して設けることによって上下左右の各斜め方向からの視線を遮る効果が増大する。
また、前記通気部材（１）は縦横の各方向に所定間隔で、通気部材（１）の表裏を通る異形断面を有し垂直方向に突出する凸状部材である複数の屋外に向けて上部から斜め下方向に向けた傾斜面を有した遮蔽部材（２）を点在して備えることも可能であり、さらに遮蔽部材（２）に雄係合部（７）または該雄係合部（７）と嵌着する雌係合部（８）のどちらか一方を固着してあり、前記覆体（３）には該雄係合部（７）または雌係合部（８）の内他方を設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記通気部材（１）または前記覆体（３）の一方に設けた雄係合部（７）と他方に設けた雌係合部（８）を嵌着して、付帯部品となる覆体（３）を着脱可能に取り付けてあることを特徴とする遮蔽部材付き通気部材とすることも可能である。また、通気部材は遮蔽部材（２）に遮体部（１７）と他の覆体（３）に設けられた係止に対応する取付部（６）を有し、遮体部（１７）は異物侵入防止、遮熱及び遮光機能を有する部分であり、取付部（６）は他の付帯部品となる覆体（３）に設けられた係止に対応する雌又は雄の接合にて一対に接合する部分であり、覆体（３）は遮蔽部材（２）の取付部（６）と一対にて嵌着し、姿勢保持して係止する係止部（１８）を有し、接合部（５）は通気部材（１）と遮蔽部材（２）とを接する部分であり、通気部材（１）と遮蔽部材（２）とを接合部（５）にて一体的に形成する場合もある。さらに説明すれば覆体は、遮蔽部材の遮体部と同様に、大きさ、不透明、（半）透明、及び色や模様により透光量設定をすることにより遮熱及び遮光をする働きを設定できるものであり遮蔽部付き通気部材とは別部品であるため、一体的に形成するよりも製造方法の自由度があるため、形状もルーバー状又は、暖簾状以外にも立体像や、動植物の模造や、各種マークなど意匠性に優れた様々な造形を形成可能である。また、遮蔽部材に設けられる接合部は他の覆体に設けられた係止部に一対にて対応するものであれば、雌又は雄はどちらに設定しても良い。また、係止方法は所定の間隔を連続して設けた場合は、ポイント的となる穴と軸による組み合わせ（衣類のプッシュ式ボタンと類似の雌と雄の組み合わせなど）にて押し込み圧入にて係止する場合と、断面の入り口が狭く奥が広い形状を有する接合部と他の覆体に設けられた係止部に（一対にての場合もある）対応する一方の断面の凸部と他方の断面の凹部（ガイド溝）を添わせて挿入する方向にスライドして組み合わせて係止する場合がある。さらに、固定を強くすることを希望する場合は接着剤を併用してもよい。また、所定の長手方向の長さを設定する場合もあり、この場合の長手方向の長さは必ずしも同一にしなくても差をつけることも有り、端部にて覆体のみを長く設定して遮蔽部が外観から見えにくくする場合もあり、この場合は外見をすっきりできる。また、覆体は遮蔽部よりも大きくすることで通気部材から表面側または裏面側に、突出又は隆起する傾斜面を同時成形する等の様に一体的に設けるものより、突出高さを低くできるため（金型又は製品）製作を容易（安価）にでき、さらにロール状に巻いた場合も同じ外径でも傾斜面を同時成形するものより巻き数量を増加できる。
【００１３】
本発明は、請求項３として通気部材（１）と遮蔽部材（２）とをはがして分離する際に、通気部材（１）の材質よりも脆弱な材質に遮蔽部材（２）を設定し、通気部材（１）から遮蔽部材（２）をはがし取っても通気部材（１）に損傷を与えない接合力を接合部（５）が有することを特徴とする請求項１または２に記載の遮蔽部材付き通気部材とし、通気部材（１）に高強度の金属（ステンレス、アルミ合金）または各種ファイバー及び繊維等を用い、遮蔽部材（２）に各種樹脂、ゴム、シリコンなどを比較的脆弱な部材を用いて、その強度差にて遮蔽部材（２）のみが破壊されることが可能となり通気部材（１）に損傷を与えない接合力を設定することによって不要部を脱去（削除）することが可能となる。また、各種覆体（３）が、通気部材（１）から表面側または裏面側に突出又は隆起する傾斜面（４）を有する場合もあり、さらに説明すれば、（ネット状）通気部材から表面側または裏面側に、突出又は隆起する傾斜面がルーバーの機能を有するため傾斜角度と大きさと色、柄設定によって日光の当たりすぎ防止、防塵、防水、防風、遮熱、プライバシーの保護を加味した設定をすることができる。特に、傾斜面の下部に雨水がかかりにくくなるため普及している通気網に見られる水の表面張力にて網目が塞がって通気性が減少することを抑えることができる。また、遮蔽部材（２）と覆体（３）を溶着にて一体化した場合には覆体（３）の不要部を切断等にて遮蔽部材（２）と共に脱去（削除）する場合もある。また、通気部材（１）と遮蔽部材（２）が、折り曲げても破損しない弾性を有すること又は、刃物にて切断することが可能である場合もあり、さらに説明すれば、弾性を有することにより外周のエッジ部等に触れて怪我をする危険性を減らすことができる。また、従来より使用されている網戸において普及している網材の装着方法例として弾性を有す（チューブ材など）網材押さえによる網材固定方法においては、遮蔽部材の厚み（もしくは径）と固定に使用する網材押さえの断面の太さを考慮して、枠体の網材押さえ用の嵌溝に適正な押し込み具合となる太さの組み合わせを選択することで通常の作業内容にて装着することができる。また、切断に使用する刃物は普及しているハサミやカッター等でも切断できる程度にすれば特別な専用工具が必要なく経済的である。
【００１４】
本発明は、請求項４として通気部材（１）と遮蔽部材（２）とをはがして分離する際に、通気部材（１）は遮蔽部材（２）よりも耐熱強度が高く、遮蔽部材（２）の接合部（５）を温めて柔らかくして接合力を弱めた状態にて通気部材（１）から遮蔽部材（２）をはがし取っても通気部材（１）に損傷を与えないことを特徴とする請求項１〜３に記載の遮蔽部材付き通気部材とし、接合部（５）が高温になると柔らかくなる材質を用いて、上記請求項１〜３の接合部に熱風（気体）熱水（液体）またはヒーター等にて通気部材（１）が耐熱強度を保てる温度以下に調温した熱材（固体）にて接合部（５）を高温にし部材を柔らかくすることによって、通気部材（１）から遮蔽部材（２）をはがし取りやすくすることが容易となる場合がある。また、さらに説明すれば、接合部（５）の面積を多くとれば接合強度を上げることができるが、実際の使用に耐えられる強度があれば適正な接合面積と適正な所定間隔の設定にて接合部面積を減らすことで、各種の接合にかかるコスト（接合時間、接着剤）を抑えることが可能となる他に、各々の接合部（５）と他の接合部（５）間にて刃物等で切断することが可能となるため設置場所の長さに合わせて長手方向を切断する作業において、通気部材を傷めにくくできる。また、接合部（５）を冷まして接合力を再度高めるものであるが、装着温度（気温）のレンジが広く設定できることが望ましい。
【００１５】
本発明は、請求項５として前記請求項１〜４に記載の遮蔽部材（２）に覆体（３）を取り付けてなる遮蔽部材付き通気部材であって、遮蔽部材（２）の取付部（６）に付帯部品となる覆体（３）が異物侵入防止、遮熱、遮光のいずれかの機能を高めることまたは複数の覆体（３）のそれぞれが意匠の異なる組み合わせにて嵌合することを特徴とする覆体とし、付帯部品となる覆体（３）は着脱可能に取り付けてある場合と、通気部材（１）と遮蔽部材（２）と覆体（３）が一体的に接合部（５）で通気部材（１）（網体であれば網線周囲）に溶着材が充填して接合する場合もある。
【００１６】
本発明は、請求項６として前記建造物開口部には上下枠材と左右枠材とで枠組みされた枠体が設置され、該枠体は網材押さえ用溝部を備えており、前記通気部材（１）と遮蔽部材（２）の縁部を網材押さえによって網材押さえ用溝部に押し込み固定して枠体に通気部材（１）を張設したことを特徴とする請求項１または２記載の遮蔽部材付き通気部材を用いた建具、
または前記建造物通気部には上下支持材または左右支持材で所定間隔に複数設置され、該支持材は奥が広い溝（５０）部を備えており、前記通気部材（１）と遮蔽部材（２）の縁部を押さえ板（４７Ａ、４７Ｂ）と雄ネジ（４８）と雌ネジ（５１）によって締固定して支持材に通気部材（１）を張設したことを特徴とする請求項１〜５に記載の遮蔽部材付き通気部材を用いた建具とし、さらに説明すれば従来より使用されている枠、戸等に用いられる通気体と同様の固定方法に合わせる、特に網戸において普及している弾性を有す網材押さえによる網材固定方法等と同様な固定方法を望む場合に、固定部に該当する部分の遮蔽部材が邪魔になってしまい固定が難しくなる場合があるが、邪魔な部分の遮蔽部材を脱去するための方法として、遮蔽部材の必要部分と不要部分の境を刃物で通気部材を傷つけない様に切断し、分離する際に不要部分をペンチ等のはさむ工具にてつかみ、脱去方向にはがす方法がある。なお、通気部材の強度を保って分離することが可能である接合力に設定する必要が有るが、接合力の調整は、溶着（接着剤、コーキング材）の長さ単位当たりの使用量と使用面積当たりの使用量を増して強固にする、または使用量を減らして脆弱にすることや、溶着する原材質の選定にて溶着強度の高い材料を用いて強固にする、または溶着強度の低い材料を用いて脆弱にすることにて対応可能である。また、通気部材を金属（ステンレスや、アルミ合金）や、強度のある繊維等を用いるまたは芯材を有す高強度の複合合成樹脂等とし、遮体部材をゴムや、シリコンやその他樹脂などの脆弱な設定にする場合は素材の強度に大きな差が有るので一体化された遮蔽部材付き通気部材から遮体部材を引っ張る又はちぎり取ることが容易にできる。また、遮蔽部材と網線（通気部材）との接合する接合部（５）が網線の周囲を充填した場合に遮蔽部材の材質と網線の材質とを接着できにくい相性に設定することで分離が容易になるばかりか脱去跡も無くすことも容易となる。なお、接着相性が良い材質どうしの場合はメッキやコーティングなどの表面処理を施して接着の相性を悪くしても良い。また、接合部の肉厚を増減することでも接合強度が変化するので接合力の調整が可能である。
【００１７】
また、本発明は製造後あるいは輸送時に巻き込む又は、供給時（支持材に張設または吊り下げて装着する）に巻き戻し伸ばして建造物通気部に用いる場合もあり、さらに、通気部材と合成樹脂とのインサート成形する場合は通気部材を供給する（送り）する装置と排出（引っ張り）する装置の間にテンションを与え移動させて、前記テンション付与間の所定位置にて合成樹脂とのインサート成形し、その後に次のインサート成形部を形成させる所定の送り（引っ張り）量にて所定間隔の位置まで送り（引っ張り）、再度インサート成形をして繰り返す製法に適しているため連続生産して巻き込むことが可能である。また、リール又はローラー等に巻き込むことでロール式網戸の網部分に代わるロール式遮蔽部材付き通気部材として使用することも可能である。
【００１８】
なお、各部材の材質は木、竹などの天然素材も考えられるがカビを嫌う場合及び大量生産にはアルミ合金やステンレス合金等の金属、樹脂、セラミック、ファイバー等（透ける材質の場合も有る）を用いるほうが適している。また、通風材を使用する場合もあり、通風材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定を変えることが可能となる。
【００１９】
また、前記遮蔽部材付き通気部材は、風雨などの影響を受けにくい形状が望まれる。特に二階以上の落下の危険がある場所では、はずれ防止具や、ボルト等による固定による落下防止策が望まれる。
【００２０】
また、前記遮蔽部材付き通気部材を設置した際に美観、安全性を高めるなどのために上下および左右や奥行きの各方向の端部に、カバーを設ける場合も有る。
【００２１】
また、遮蔽部材付き通気部材は、建造物開口部の全てばかりでなく部分的に設置する場合も有る。さらに、庇の有無およびプライバシー保護の観点等により必要な部位にのみ設置する場合もある。また、各部材は、耐候性、防汚、防錆、防腐、抗菌作用の有る材料または処理することが好ましい。
【発明の効果】
【００２２】
この発明の複数の遮蔽部材を通気部材と一体的に形成することにより、建造物開口部に他の部材（ルーバー又は暖簾等）を用意する必要が無くなり、製造時に幾何学的に設定された意匠等を保って設置でき、ねじれや、ゆがみを少なく施工することができ特に、ジグザグ状または波形状に接合する場合は通気部材が多少の取り付けずれや弛みが有っても縦または横方向に接合したものに比べて目立たなく装着できる。また、（格子状に）交差して接合する場合も含め現在普及している網材の固定方法のひとつである枠組された枠材の網材押さえ用の嵌溝に弾性を有す網材押さえ（チューブ）を押し込む網材固定方法と同じく縦横に同一な太さの網材押さえ（チューブ）を使用して張設固定することができるため、別の太さの網材押さえ（チューブ）を必要としない効果がある。また、遮蔽部材によって通気部材（網体）の引っ張り強度及び外部からの接触による耐破損強度を上げることができる点及び既存の設備にも柔軟に対応する通気部材（網材や多孔体）を必要面積に切断して使用する場合において、溶着して遮蔽部材が切断後に切断端部からのほつれまたは裂けることを防ぎ、さらに装着後にも切断端部からのほつれまたは裂けによって耐久性を低下させる、または美観を低下させることを防ぐ点で優れている。
【００２３】
また、従来のルーバー及び暖簾及び簾等を用いた実施例では、網体の他にルーバー又は暖簾又は簾等とが必要であり、その網戸の設置面積に合わった縦横の長さに切断してさらに取付部品にて組み合わせるものであり構造が複雑であるばかりか、部品点数が多いため高価になってしまうが、この発明の場合は、極めて構造が簡単であり、（取付）部品点数も少なくでき、さらに作業工賃を抑えることができ、また部品点数が少なく軽いため従来の網戸等の設備に付帯させても新たに補強をしなくても良い場合も多く安価に設置できる場合がある点で優れている。
【００２４】
また、遮蔽部材付き通気部材をロール状に巻き込む場合は、梱包サイズを小さくでき輸送費を抑えること及び、必要面積のみを（切り売り）使用することにより部材の無駄を減らすことで、共に安価に提供することができる点で優れている。
【００２５】
また、様々な大きさの設置場所に合わせて必要面積を切り取って現在使用している網戸に取り付ける等の場合も、現在普及している網材の固定方法と同様に、枠材の網材押さえ用の嵌溝に弾性を有す（チューブ）網材押さえを押し込む網材固定方法と同様な固定方法も可能である（遮蔽部材は弾性が多い方が張りやすい）ため、慣れている作業であり、さらに、ほつれや裂けを防止している他に意匠を保った状態で張設できる点で優れている。また、（チューブ）網材押さえは太さをかえても汎用品を利用することができれば安価に設置できる点で優れている。また、奥が広い溝に雌ネジまたは雄ネジ（六角穴付き全ネジボルト）の内どちらか一方を嵌めて、ネジに押さえ板のネジの軸を逃がした逃げ穴を通して他方の雌ネジ（ナット）または雄ネジを嵌合し、回して締めて固定する場合は遮蔽部材付き通気部材の厚みが大きい場合でもネジの長さと押さえ板の厚調整凸部の等凸量設定を遮蔽部材付き通気部材の様々な厚みに対応して強固にあるいは、シワや弛みを防いで固定可能である点で優れている。また、奥が広い溝に雌ネジを入れて回転させて溝に嵌まり込んだ状態で雄ネジ（六角穴付き全ネジボルト）を締めて枠材(支持材)の溝底面より鉛直方向に突出する雄ネジを一体的に形成した後に押さえ板の長穴（取り付け用逃げ穴）を雄ネジに通しさらにナットを締めて固定する場合は枠材(支持材)に雄ネジを固定する工程と、押さえ板を貫通する雄ネジにナットを締めて固定する工程が別工程になるので枠材(支持材)に雄ネジを固定する位置を調整することが容易となって作業が効率的に行える点で優れている。また、固定部に該当する部分の遮体部材が邪魔になってしまう場合では、遮体部材の必要部分と不要部分の境を刃物で通気部材を傷つけずに切断し、離する際に不要部分をペンチ等のはさむ工具にてつかみ脱去方向にはがす方法を適応すれば従来と同じ（チューブ）網材押さえを利用できる場合がある点で優れている。
【００２６】
また、通気部材に他の覆体を着脱自由に取り付けできるものとする場合は、覆体を取付部よりも大きくすることで通気部材から表面側または裏面側に、ルーバー状又は、玉暖簾状の遮体部をあらかじめ大きく設けるものより、突出高さを低くできるため製作を容易（安価）にできる点で優れている。また、覆体が別の構成部品となるので、所望する形態に適した製法を選択する自由度が高くなるため立体像や、動植物の模造や、各種マークなど多種多様の意匠性に優れた外観に対応しやすい点で優れている。
【００２７】
また、取付部又は覆体に弾性を持った凸部にて圧接する圧接用変形部を設け、相互にガタツキのない圧入設定にした場合は、組み立て中に覆体が移動しないため作業性が良くなる上に複数個を規則的に（直列に意匠違いの物を連続して）並べる際に発生するズレも少なくできるためきれいに整列できる点で優れている。
【００２８】
また、覆体を複数使用する場合は、所定部位のみの覆体の色彩変更や、所定部位のみの着脱をすることも実現でき、破損の場合もその部材のみを交換できるため改修費用を安くできる。また、光を透過できる材質を選ぶことで食事をおいしく感じられる暖色系に設定するまたは、気分を落ち着かすことができる寒色系に変更することも可能となる。また、施工後に使用者の予想に反して採光が暗くなった場合の覆体の色彩変更や、透過率の違う部材への変更（一般にくもりガラスの様に一定の面積を有し、かつ同じ透過率の部材の場合に外部から内部が見える場合があるが、交互に透過率の違う部材を使用する場合は、外部の視線を見えにくくしてもそれなりの外光を多く入れたいといった個々の希望にも対応できることがある）もできる点で優れている。
【実施例１】
【００２９】
図１は、本発明実施時の、一例として遮蔽部材付き通気部材のイメージ形態概要図である。
左図は、遮蔽部材付き通気部材の巻き込み図である。
巻き込まれた遮蔽部材付き通気部材２１は、通気部材１の表面に丸形断面有し平面方向に延伸する長棒状部材となる遮蔽部材２を横方向に所定の間隔をあけて８本並べた縦タイプの例であるがリールの巻き始めから巻き終わりまで遮蔽部材２が接合されている場合も有る。その右図は、リール２７に巻かれた遮蔽部付き通気体の巻き込み図である。
巻き込まれた遮蔽部材付き通気部材２１は、通気部材１の表面に丸形断面有し平面方向に延伸する長棒状部材となる遮蔽部材２を横方向に所定の間隔をあけて５本並べた横タイプの例であるであるがリールの巻き始めから巻き終わりまで遮蔽部材２が接合されている場合も有る。また、小さい円内を大きい円内に拡大した図では通気部材である網材２３に、接合部５にて通気部材１に遮蔽部材２が表裏を通って一体的に接合して固着された遮体部１７を有する遮蔽部材を示している。なお、通気部材１の面に（丸形断面又は異形断面を有し平面方向に延伸する長棒状部材となる）遮蔽部材２を固着する方法として、（半）液状の冷め切っていない又は硬化時間に達していないことにより完全に固形化していない合成樹脂を通気部材１の表面にノズル、ゲート等から出して接面させ（自重の場合または加圧の場合もある）て接合部５にて溶着させる方法がある。または、固形化した長棒状部材を接合部５にて接着剤（コーキング材等）による溶着、または（双方を）溶接する方法がある。
【実施例２】
【００３０】
図２は、本発明実施例として網戸に遮蔽部材付き通気部材を設置した形態概要図である。
ここで、一般に普及している網戸構成によく見られる固定方法を説明すれば、枠材に設けられた網材押さえ用溝は縦枠と横枠が溝幅と深さ共に同じ設定の場合が多く、張られる網材も厚みが均一な場合が多いので、弾性を有す網材押さえも同じ径にて網材と共に網材押さえ用溝に押し込まれることが多いが下記に本発明の実施における相違点を示す。
（ａ）は、遮蔽部材付き通気部材を普及網戸の一種に設置した右上の角部分の正面図である。
上記の実施例１の横タイプの設置例であり遮体部１７を屋外に向けた遮蔽部材付き通気部材（網材）を枠組された枠材１２に網材押さえ２２Ａ、２２Ｂによって張られた図である。遮蔽部材付き通気部材は、通気部材のみの厚み部分と、通気部材と遮蔽部材の厚みを合わせ重ねた部分があるので通気部材のみの厚み部分は太い網材押さえ２２Ａにて網材押さえ用溝に押し込み固定し、通気部材と遮蔽部材の厚みを合わせ重なる部位にあたる押し込み部１９は細い網材押さえ２２Ｂにてそれぞれ固定していることを示す図である。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１と遮蔽部材２が、折り曲げても破損しない弾性を有することによって可能となる実施図である。
これに示す一般に普及している網戸構成と同様の固定方法の場合はほぼ通常の網材張替えと同様の方法で遮蔽部材付き通気部材を装着設置することが可能となる。
【実施例３】
【００３１】
図３は、本発明実施例として遮蔽部材付き通気部材に覆体を設置した形態概要図である。
（ａ）は、上記の実施例２の遮蔽部材付き通気部材に覆体を各々設置する正面図である。
上記の実施例２の遮蔽部材２の遮体部１７より大きな遮体となる覆体３を手前に付帯させることを示す図である。
（ｂ）は、上記の実施例２の遮蔽部材付き通気部材に覆体を設置した側断面概要図である。
最上部以外は遮蔽部材２に屋外側に下がった傾斜面４を有す覆体３を嵌着したことを示し、最上部の遮蔽部材２の接合部５に向かって、丸状の縁切り溝となる（弾性を有す場合も有る）係合部１８有する覆体３を圧入方向３５に嵌め取付部６にて係止させることを示す図である。また、この例では覆体３を係止させた場合に係合部１８と網材２３の隙間を少なく設定することで覆体３が回転すること抑えて姿勢保持している。
なお、図中には明記されていないが覆体３は押し出し成型にて同一断面を保って長手方向に長く連続生産することが可能であり、必要な長さを切断して使用する。また、必要な長さを複数のピース部材に分けて直列させて合計長さにて必要長さとすることも可能で有り、各々が嵌めて係止させることができれば色、柄、形状などが違ったものでも構成することも可能である。なお、遮蔽部材２に覆体３を嵌めて係止させる手順は、遮蔽部材付き通気部材を枠体（支持材）に設置する前後のどちらでも良く作業者が容易な方を選ぶことができる。
【実施例４】
【００３２】
図４は、本発明実施例として網戸に遮蔽部材付き通気部材を設置した形態概要図である。
（ａ）は、遮蔽部材付き通気部材を普及網戸の一種に設置した右上の角部分の正面図である。
上記の実施例１の横タイプの発展例であり、遮体部を大きく屋外に向けた傾斜面４を手前に突出させることを示す図である。
遮蔽部材付き通気部材２１を枠組された枠材１２に網材押さえ２２Ａ、２２Ｂによって押し込まれて張られた図である。遮蔽部材付き通気部材は、通気部材のみの厚み部分と、通気部材と遮蔽部材の重なった部分があるので通気部材のみの厚み部分は太い網材押さえ２２Ａにて、網材押さえ用溝に押し込み固定し、通気部材と遮蔽部材の重なった部分は細い網材押さえ２２Ｂにて押し込み固定していることを示す図である。なお、この例では縦方向の網線１３のみにて遮蔽部材付き通気部材を構成しているが射出成型にて生産する場合に縦方向の網線のみに位置決めすることで金型の製作を簡単にすることができる場合がある。
（ｂ）は、（ａ）の側断面概要図である。
遮蔽部材付き通気部材２１を枠材１２の枠材に設けられた網材押さえ用溝に網材押さえ２２Ａと共に押し込み固定して張られたことを示し、これは通気部材と遮蔽部材が、折り曲げても破損しない弾性を有することによって可能となる実施図である。
これに示す一般に普及している網戸構成と同様の固定方法の場合はほぼ通常の網材張替えと同様の方法で遮蔽部材付き通気部材を設置することが可能となる。
なお、最上部に当たった遮体部は、切断部１４にて切断して脱去部２５を脱去することで接合部５のみを残すこととなり、網材押さえ用溝に網材押さえ２２Ａと共に押し込み固定することが容易となる例である。
（ｃ）は、（ａ）の下面図である。
（ａ）の押し込み部にて、網材押さえ２２Ｂを押し込み固定されることにより、遮体部１７が網材押さえ用溝に近くなるにつれ低くなっている。
なお、図中には明記されていないが、もう一方の端部も同様な形態となる。
【実施例５】
【００３３】
図５は、本発明実施例として網戸に遮蔽部材付き通気部材を設置した形態概要図である。
（ａ）は、遮蔽部材付き通気部材を普及網戸の一種に装着した右上の角部分の正面図である。
上記の実施例１の横タイプの変形例であり遮体部を大きく屋外に向けた傾斜面４を手前に突出させることを示す図である。屋外に向けた遮蔽部材付き通気部材（網材２３）を枠組された枠材１２に網材押さえ２２Ａによって張られた図である。遮蔽部材付き通気部材は、通気部材のみの厚み部分にて、網材押さえ用溝に押し込み固定していることを示す図である。これは遮蔽部材２を切断部１４にて切断して脱去することで押し込み固定する部分の遮蔽部材２を無くすこととなり従来と同様な固定方法にて装着している。また、各々の遮蔽部材２と通気部材である網材２３とつながる接合部５が少なくても２箇所以上有した例であり、接合部５は通気部材を通って所定の間隔をあけてスポット的に接合固着している例であるが、設定強度が十分であればコストを下げることに貢献する場合もある。また、切断部１４は接合部５を避けることで切断が容易にできる。なお、切断に使用する刃物は普及しているハサミやカッター等でも切断できる程度にすれば特別な専用工具が必要なく経済的である。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１が、折り曲げても破損しない弾性を有することによって可能となる実施図である。また、遮蔽部材２は、屋外側に下がった傾斜面４と接合部５を有し鈍角に曲がった断面を有している。これに示すとおり通常の網材張替えと同様の方法で遮蔽部材付き通気部材を設置することが可能となる。
【実施例６】
【００３４】
図６は、本発明実施時の、一例として遮蔽部材２と通気部材である網線１３と接合部５を示す形態概要図である。
（ａ）は遮蔽部材と網線と接合部の上面図である。
遮蔽部材２の右端部に接合部５が有り網線１３と遮蔽部材２が右端の同一面までが充填され一体的に溶着固着されており、同一面に溶着固着することで遮蔽部材２と網線１３とを分離する際は、双方の分離によるダメージを減らすことができ、通気部材に損傷を与えにくいこと又は設定強度以上を保って分離することが可能である接合力を接合部５に設定することが可能となり、さらに網線１３の最大径をわずかに通った部位までを溶着する、または右端面より網線１３が出る設定にすることあるいは、接合部５の網線１３部の接合厚み（溶着体積）を減らすことでさらに接合力を弱めることが可能となる。
（ｂ）は、（ａ）の下面図である。
遮蔽部材の遮体部１７は屋外方向に下がる傾斜面４と右端部の接合部５にて網線１３と固着されており、下方に所定の間隔をあけて同様の形態に連結した例である。
【実施例７】
【００３５】
図７は、本発明実施例として遮蔽部材付き通気部材の形態概要図である。
（ａ）は、遮蔽部材付き通気部材のジグザグタイプ例の正面図である。
通気部材（網面２０）の平面の各方向に所定間隔にジグザグ（波形）に遮蔽部材が接合され複数並べたことを示し遮蔽部材は直線だけでなく曲線にする例である。
（ｂ）は、遮蔽部材付き通気部材のクロスタイプ例の正面図である。
通気部材（網面２０）の平面に所定間隔に交差した遮蔽部材が接合され（斜め）格子状に配置されたことを示している。
なお、遮体部を通気部材面より外面側に凸部を形成することで異物との接触による破損から通気部材を守ることや、異物侵入防止をする働きがあるが、プライバシーの保護の観点では、縦方向または横方向のみに直線的に遮蔽部材を配置するものと比べるとジグザグタイプやクロスタイプにすることで遮光性が高まり、上下左右の各方向からの斜め方向からの視線を遮る効果が増大する。また、遮蔽部材の面積が増大することで強度が増大する。なお、遮蔽部材付き通気部材の遮蔽部材部の厚みを均一に設定すれば網材押さえ用溝に通気部材を網材押さえ（チューブ）にて押し込み固定する網戸において、枠体に設けられた網材押さえ用溝に通気部材を弾性チューブにて押し込み固定する場合に縦横に同じ太さの網材押さえ（チューブ）を使用することが可能となる。
【実施例８】
【００３６】
図８は、本発明実施例であり図７のジグザグタイプ（波形）を変形した図である。
（ａ）は、遮蔽部材付き通気部材の正面図である。
上部にて支持する横部材４１に固定されたジグザグタイプの遮蔽部材付き通気部材を吊り下げた状態を示している。なお、簾や暖簾的に使用する場合は横部材４１に、装着用穴３９や、吊り下げ紐４０があれば一般的には装着する際に便利になる。
（ｂ）は、（ａ）の側断面概要図である。
横部材４１から吊り下げた遮蔽部材付き通気部材２１は下部の巻き込み部４２にて巻き込んで上下方向の長さを短く調整して、吊り下げ紐４０の結び部４３にて固定した簾的に使用することができる例である。
【実施例９】
【００３７】
図９は、本発明実施例として遮蔽部材と通気部材とを分離する概要図である。
（ａ）は、遮蔽部材付き通気部材の遮蔽部材と通気部材とを分離する正面図である。
通気部材である高強度な部材（ステンレス、アルミ合金等）を使用した網面２０に脆弱な部材（各種樹脂等）を使用した遮蔽部材２が上下に２本並べられているが下方の遮蔽部材２の一部を分離する例であり、一体化された遮蔽部材付き通気部材の遮蔽部材２の遮体部１７の方向から切断部１４にて切れ目を入れる例である。なお、切れ目は網面２０に触れなくすることで網材に損傷を与えることを防げる。また、切断に使用する刃物は普及しているハサミやカッター等でも切断できる程度にすれば特別な専用工具が必要なく経済的である。
（ｂ）は、（ａ）の分離する概要を示す脱去参考正面図である。
（ａ）の切断部１４の切れ目を境に不要部である右側をペンチ等のはさむ工具にてつかみ、脱去方向１５にはがす方法がある。なお、通気部材の強度を保って分離することが可能である接合力に設定する必要が有る。
（ｃ）は、（ａ）の分離後の概要を示す脱去正面図である。
一体化された遮蔽部材付き通気部材の構成部材である遮蔽部材を分離した後に脱去跡１６が残ることがあるが、この脱去跡はなるべく目立たなくすることが美観に優れるため望まれる。
【実施例１０】
【００３８】
図１０は、本発明実施例として遮蔽部材と通気部材とを分離する概要図である。
（ａ）は、遮蔽部材付き通気部材を普及網戸の一種に設置した右上の角部分の正面図である。
遮蔽部材２の遮体部が、通気部材１から手前側突出する傾斜面４を有することを示しており通気部材と接する接合部５があり長手方向の所定間隔にのみ固着しているものであり、遮蔽部材２が上下に２本並べられているが、下方の遮蔽部材２の一部を分離する例であり一体化された遮蔽部材付き通気部材の構成部材である遮蔽部材２の所定間隔にのみ固着している接合部５をはずした部位に切断部１４を設定し通気部材１に損傷を与えずに切断する。（ハサミやカッター等でも切断できる程度すれば特別な専用工具が必要なく経済的である）なお、切断は接合部５をはずした部位に行う理由は、接合部５の固着部を切断するより固着部間の隙間に刃先又は傷防止の薄い金属を挿入してカッター等にて押し切ることが可能となり、通気部材１に触れなくすることが容易となるため通気部材１に損傷を与えることを防げるからである。
（ｂ）は、（ａ）の分離する概要を示す脱去参考正面図である。
（ａ）の切断部１４の切れ目を境に不要部である右側をペンチ等のはさむ工具にてつかみ、脱去方向１５にはがす方法がある。なお、通気部材の強度を保って分離することが可能である接合力に設定する必要が有る。
（ｃ）は、（ａ）の側面図である。
【実施例１１】
【００３９】
図１１は、遮蔽部材付き通気部材の傾斜面を有する場合の製法の一例を示す概要図である。
上下に開かれたプラスチック金型の上方に遮体部１７の形状を設定した空間１１が４箇所設けた例であり空間１１は遮体部１７の傾斜面４に対し成形後に抜けやすくするための勾配を有しているが、これは傾斜面４の角度及び傾斜角２６によって上端部が細く下方が太くなる設定になる様に設定角度９（プラスチック金型の開く面角度）を適正にすることで可能となる。この様な通気部材と合成樹脂とのインサート成形の場合は通気部材の供給側と排出側のテンションを与え合成樹脂とのインサート成形後に次のインサート成形部まで所定の送り量にて送り、再度インサート成形を繰り返す製法に適しているため連続生産による巻き込むことが可能である。また、この図ではゲート、エジェクト、ランナーは記されていないがツ−プレートや、スリ−プレート等の各種金型構造に適応する公知の技術にて適切に設定することが望ましい。
【実施例１２】
【００４０】
図１２は、遮蔽部材付き通気部材の傾斜面を有する場合の形態と製法例を示す概要図である。
（ａ）は、上記の実施例２の横タイプの発展例であり遮体部１７を屋外に向けた遮蔽部材付き通気部材（網材２３）を枠組された枠材１２に張られた図である。遮体部１７は、通気部材である網材２３から屋外側突出する傾斜面４を有しており、接合部５は網材２３を通り屋内側にも少し張り出している。
（ｂ）は、（ａ）の形状のインサート成形製法例を示す概要図である。
空間１１によって形成される遮体部１７は成形後に抜けやすくするための勾配を有しているため金型構造は単純であるため金型費は安価であるが、合成樹脂の使用量が多いため重量が重くなる、又はヒケが発生しやくなる欠点がある。
（ｃ）は、上記の実施例３の横タイプの発展例であるが（ａ）と同等の傾斜面４を有したものであるが傾斜面４の裏面に凹みを設けて合成樹脂の使用量を減らすと共に取付部６と嵌め合わせて位置決めできる凹凸を設定してある。この例では上下の遮体部１７の一つおきに覆体３を嵌め合わせる例であるが覆体３のガイド部２９又は係止部１８の圧入の設定にてズレ無い嵌め合わせにすることが望まれる。
（ｄ）は、（ｃ）の形状のインサート成形製法例を示す概要図である。
空間１１によって形成される遮体部１７は成形後に抜けやすくするための勾配を有していないため可動イレコにて成型後に可動して開くことが必要となるので金型構造は複雑であるため金型費は高価であるが、合成樹脂の使用量が少ないため重量が軽くなる、又はヒケが発生しにくくなる利点がある。
【実施例１３】
【００４１】
図１３は、本発明実施例として遮蔽部材付き通気部材に覆体を設置することと、遮蔽部材付き通気部材から遮蔽部材を脱去することを示す形態概要図である。
（ａ）は、遮蔽部材付き通気部材の遮蔽部材にガイド溝を設けて接合した斜視図である。
通気部材１に遮蔽部材２が上下に３本並べられているが最下方の遮蔽部材２に覆体３が嵌め合わされており、その上の遮蔽部材２に覆体３を嵌め合わせる例であるが遮蔽部材２の取付部６は入り口より奥が広い溝を長手方向に平行に有しており、覆体３は傾斜面４と傾斜面４からＬ字状に鋭角にて曲がり、その先端に係止部１８を有すものであり、長手方向に所定の長さにて形成されている。なお、覆体３の係止部１８は遮蔽部材２の取付部６の溝形状に対し破損しない程度にて大きくすることで圧入できる設定となっておりスライド方向３１に圧入して嵌め合わせることにより固着できる例である。また、接合部５の入り口より奥が広い溝の隙間にゴミが溜まるまたは、カビが発生することを嫌う場合には他の部位に溝を設ける又は覆体を大きく設定する等によって溝をすべて覆うことを選択することもある。
（ｂ）は、（ａ）の遮蔽部材を通気部材から脱去することを示す概要図である。
下方の遮蔽部材２は通気部材である網の網目４６を通って網線１３の周囲の一部を残して充填して接合部５にて一体的に接合している。上方の遮蔽部材２を脱去方向１５にむけてはがす参考であるが、通気部材１と遮蔽部材２とをペンチ等でつまんではがして分離する際に、通気部材１の材質よりも脆弱な材質に遮蔽部材２を設定して、その耐破壊（接合）強度差が十分であれば通気部材１から遮蔽部材２をはがし取っても通気部材１に損傷を与えないことができる。
しかし、耐破壊（接合）強度差が十分でない場合は、通気部材１に遮蔽部材２よりも耐熱強度が高く、遮蔽部材２の接合部５を高温材４５にて温めて柔らかくして接合力を弱めた状態にすることで通気部材１から遮蔽部材２をはがし取っても通気部材１に損傷を与えないことができる。なお、接合部５を温める方法はドライヤーの熱風（気体）や温水（液体）やヒーター等にて調温された部材（固体）などの方法がある。
【実施例１４】
【００４２】
図１４は、本発明実施例として遮蔽部材付き通気部材に覆体を設置する形態概要図である。
（ａ）は、通気部材と遮蔽部材とが固着した遮蔽部材付き通気部材斜視図である。
通気部材１に遮蔽部材２が上下に３本並べられているが各々の遮蔽部材２と通気部材１とつながる接合部５が所定の間隔をあけてスポット的に溶着して固着している。
（ｂ）は、（ａ）に覆体を付帯する覆体装着参考図である。
最下の遮蔽部材に１個、その上の遮蔽部材に２個の覆体３を付帯しているが各々の覆体３は遮蔽部材２と通気部材１との取付部６と隣接する取付部間の無固着部に生じる隙間に向けて覆体３の係止部１８を圧入方向３５に挿入する例である。なお、覆体３は傾斜面４と傾斜面４から鉛直状にて曲がり、その先端に係止部１８を有すものであり、長手方向に所定の長さにて形成されており、覆体３の係止部１８は遮蔽部材２の接合部５の隙間を変形して破損しない程度にて圧入できる設定となっている。
【実施例１５】
【００４３】
図１５は、同一種の遮蔽部材付き通気部材に意匠違いの覆体を設置する形態概要図である。
通気部材１に遮蔽部材２が横方向に上下に同一の間隔に３本並べられているが、各々の遮蔽部材２の手前面に遮体部１７から垂直方向に突出する凸状部３６を有し、凸状部３６は縦方向又は横方向に所定間隔にて備えたものであり、係合できる軸を有す雄係合部７とする場合もある。さらに遮体部１７は手前面より根元の通気部材１面側の方が上下幅方向に細くなる段差が設定してある取付部６を有し、接合部５にて通気部材１と固着している。
（ａ）は、遮蔽部材付き通気部材にスライドして覆体を設置する形態概要斜視図である。
各々の遮蔽部材２の遮体部１７は手前面より根元の方が上下幅方向に細くなる取付部６を有しているが、最上とその下に並んだ遮蔽部材２の一方の取付部６と他方の取付部６との根元間隔と同等幅以下であり、且つ並んだ遮蔽部材２の手前面の最短間隔より広い上下方向の幅にて設定される覆体３を上下方向に並んだ遮蔽部材２のそれぞれの取付部６にスライド方向３１にて挿入される固着例である。なお、覆体３は通気できる通気穴３０と傾斜面４にて通気部材１との通気ができる設定になっている。また、覆体３は長手方向に必要な長さに切断して使用する又は、複数個に分割しそれぞれを色違いにすることも可能である。また、係止部１８は取付部６にて設置された状態にてズレない係止する設定又は接着材にて接着する等脱落防止することが望まれる。
（ｂ）は、遮蔽部材付き通気部材に圧入して覆体を設置する形態概要斜視図である。
最下とその上に並んだ遮蔽部材２には覆体３が任意部位にて３個装着された例である。
各々の遮蔽部材２の手前面に遮体部１７から垂直方向に突出する雄係合部７を有し、雄係合部７は縦方向と横方向に所定間隔にて備えたものであり、上下方向に並んだ遮蔽部材２の雄係合部７は一方の遮蔽部材２と他方の遮蔽部材２とが縦横に同一線の延長する位置にて突出しており、最上とその下に並んだ遮蔽部材２に覆体３を装着する例であり、図中の位置に合致する４箇所の雌係合部８を有する覆体３がそれぞれに対応し係止する雄係合部７に向けた圧入方向３５に挿入して覆体３を設置する固着例である。なお、覆体３は通気できる通気穴３０にて通気ができる設定になっている。また、覆体３は個人の希望に合わせて複数個を使用する、又はそれぞれを色違いにすることも可能であり、さらに形状も本図のように板状や、ルーバー状や、暖簾状にする以外にも立体像や、動植物の模造や、各種マークなど意匠性に優れた様々な造形を形成可能である。また、この図では遮体部１７から垂直方向に突出する雄係合部７を有した例であるが、遮体部１７に凹み又は貫通孔を設けて雌係合部とすることも可能であり、その場合は雌係合部に一対にて係止する雄係合部を覆体に設定する場合もある。また、覆体は様々な素材や色や形状もしくは模様の組み合わせが可能であり、且つこのような構成であるため汎用性に富み、戸枠以外の窓枠や窓周囲の壁にも対応することが可能である。
【実施例１６】
【００４４】
図１６は、実施例として普及タイプの網戸に遮蔽部材付き通気部材を装着した概要図である。
左図は、網戸の網に複数の板材を並べ重ね合わせた斜視図である。
普及タイプの網戸の枠材１２に網材押さえ樹脂２２Ａによって遮体部を屋外に向けた遮蔽部材付き通気部材を張られた図であり、小円部を大円にて拡大して示している。
大円内に示すように遮体部１７に傾斜面４を有す遮蔽部材が接合部５にて通気部材である網線１３と固着している。なお、固着に遮蔽部材が邪魔になる場合は接合部５に示すように遮蔽部材と網線１３とが同一面となる様に少しの溶け込み量にて接合しているため遮蔽部材を切断して分離することが可能な接合になる設定にしてある。これに示すとおりに網材押さえ樹脂２２Ａにて固着される部分の全て遮蔽部材を無くす事により通常の網材張替えと同様の方法で遮蔽部材付き通気部材を設置することが可能となる。
【実施例１７】
【００４５】
図１７は、屋外に面した建具として網戸（建造物通気部には上下支持材または左右支持材で所定間隔に複数設置されている）に遮蔽部材付き通気部材を装着した概要図である。
網戸の枠材１２(支持材)と押さえ板４７の間に遮蔽部材付き通気部材２１の縁を挟み雄ネジ４８を締めて固定した例であり切断仮想線４９の部分を実施例１７にて説明する。
【実施例１８】
【００４６】
図１８は、図１７の切断仮想線４９部分の枠材１２(支持材)と押さえ板４７の関係を示す実施例とした概要図である。（ただし遮蔽部材付き通気部材２１は波形タイプである）
（ａ）は、上図が遮蔽部材付き通気部材２１と枠材１２の装着前を示す正面図であり下図はその断面図である。
枠材１２(支持材)は奥が広い溝５０部を備えており、遮蔽部材付き通気部材２１の縁部を枠材１２(支持材)に当接した状態を示している。
（ｂ）は、上図が遮蔽部材付き通気部材２１と枠材１２の装着後を示す正面図であり下図はその断面図である。
枠材１２(支持材)の奥が広い溝５０の奥部に雌ネジ５１を挿入してあるとともに、枠材１２と押さえ板４７Ａの間に遮蔽部材付き通気部材２１を挟み雄ネジ４８にて締めて固定した例である。また、押さえ板４７Ａは遮蔽部材付き通気部材２１の厚みと同等な厚調整凸部を縁部に有し締める際の支点になっているが、遮蔽部材付き通気部材の縁部にも凸部を形成しても良く、その場合は凸部に集中的に押さえ力がかかるので遮蔽部材付き通気部材をずれにくくできる。なお、押さえ板４７Ａに長穴５３を設けることで装着が容易になる場合があり、長穴５３は所定間隔にあらかじめ複数設けてあっても良い。また、座金５２を設けることで押さえ板４７Ａに雄ネジ４８にて締めて固定して装着する際に傷が付き難くするとともに固定が安定することができる。
（ｃ）は、上図が遮蔽部材付き通気部材２１と枠材１２の装着後を示す正面図であり下図はその断面図である。
枠材１２(支持材)の奥が広い溝５０の奥部に雄ネジ４８を挿入してあるとともに、枠材１２と押さえ板４７Ｂの間に遮蔽部材付き通気部材２１を挟み雌ネジ５１にて締めて固定した例である。なお、押さえ板４７Ｂにネジ逃げ穴を複数設けることで装着が容易になる場合があり、ネジ逃げ穴は所定間隔にあらかじめ複数設けてあっても良い。また、座金５２を設けることで押さえ板４７Ｂに雄ネジ４８にて締めて固定して装着する際に傷が付き難くするとともに固定が安定することができる。
また、この構成の場合は遮蔽部材付き通気部材２１が劣化して取り替える時期がきたら遮蔽部材付き通気部材２１のみを交換して、他の部材は再度使用する場合がある。
を備えており、遮蔽部材付き通気部材２１の縁部を枠材１２(支持材)に当接した状態を示している。
【実施例１９】
【００４７】
図１９は、枠材１２(支持材)と遮蔽部材付き通気部材２１と押さえ板４７Ａとを装着する関係を示す実施例とした概要図である。
（ａ）は、上図が遮蔽部材付き通気部材２１と枠材１２の装着後を示す正面図であり下図はその側断面の装着部材を示す図である。
最下部の枠材１２(支持材)は奥が広い溝５０を備え、その上に遮蔽部材付き通気部材２１の縁部が接する位置に配置され、その上に押さえ板４７Ａの長穴５３を奥が広い溝５０の上にくる位置に配置され、その上に座金５２と雌ネジ５１を嵌合した雄ネジ４８の配置を示しており、装着方向５４に枠材１２に遮蔽部材付き通気部材２１を接面し、次に押さえ板４７Ａを接面し、次に押さえ板４７Ａの長穴５３を通過する雌ネジ５１をさらに枠材１２の奥が広い溝５０部まで挿入し（座金５２は長穴５３を通過できない大きさにする）雄ネジ４８を回して締めて固着させることを示している。
（ｂ）は、ネジ部を構成する部材を示した図である。
（ｃ）は、押さえ板４７Ａの部材を示した図である。
雌ネジ５１は、長穴５３を通る大きさであり、長手寸法５５が押さえ板４７Ａの長穴５３の穴長寸法５９より小さく、さらに幅寸法５６も押さえ板４７Ａの長穴５３の穴幅寸法５８よりも小さくすることで長穴５３を通過する大きさに設定してあり、さらに、雌ネジ５１は、奥が広い溝５０の最深部にて回動できる大きさであるとともに、回り止めできるものであり枠材１２の溝入口幅寸法６０より幅寸法５６を小さくし且つ、溝奥幅寸法６１よりも大きく長手寸法５５を設定するとともに厚み方向５７を溝奥懐高寸法６２よりも小さく設定して、押さえ板４７Ａを接面し、次に押さえ板４７Ａの長穴５３を通過する雌ネジ５１をさらに枠材１２の奥が広い溝５０部まで挿入してから雄ネジ４８を回して締めることで雌ネジ５１も回転し、長手寸法５５が溝奥幅寸法６１に当接する部位で回り止めとなり、その後続けて雄ネジ４８を回して締めることで間に遮蔽部材付き通気部材２１を挟んで固定することができる。
この固定方法は、枠材に設けられた網材押さえ用溝が３ｍｍ程度で遮蔽部材付き通気部材２１の厚みが１ｍｍ以上有る場合は網材押さえも１．５ｍｍ程度にする必要があるが、細すぎて固定しにくくなる場合があり、さらに、遮蔽部材付き通気部材２１の厚みが２ｍｍ以上にならば事実上固定できなくなる場合が発生するが、その固定方法に変わるものである。枠材１２(支持材)はネジ部を付帯する奥が広い溝５０を備えることは、押し出し材の製作時に網材押さえ用溝を設ける製造方法に比べて特別難しいことではなく、兼用または、追加することも可能である。また、この固定方法は遮蔽部材付き通気部材のみに使用するだけでなく、通常に普及している網体や多孔シートにも使用することが可能であり、花粉シートを装着することを網材押さえ用溝に網材押さえを押し込み張設するものより容易且つ強固に固定することができる場合が多い。
【実施例２０】
【００４８】
図２０は、図１９を発展した変形例であって枠材１２(支持材)と遮蔽部材付き通気部材２１と押さえ板４７Ｂとを装着する関係を示す実施例とした概要図である。
（ａ）は、遮蔽部材付き通気部材２１と枠材１２と押さえ板４７Ｂの長穴に雌ネジと雄ネジ４８（六角穴付き全ネジボルト）を挿入した時を示す正面図である。
（ｂ）は、遮蔽部材付き通気部材２１と枠材１２と押さえ板４７Ｂの長穴に雌ネジと雄ネジ４８（六角穴付き全ネジボルト）を挿入した後に回転方向６３に右方向に回して（右ネジの場合）実施例と同様に雄ネジ４８を回して締めることで雌ネジ５１も回転し、長手寸法５５が溝奥幅寸法６１に当接する部位で回り止めとなり、その後続けて雄ネジ４８を回して締めることで枠材１２の奥が広い溝５０の奥に当たってから雌ネジ５１を奥が広い溝５０の入り口部まで圧接して雌取付角度の位置にて固定することができる。さらに押さえ板４７Ｂに座金５２の穴を雄ネジ４８に通し最後にナット６５を締めて固定したことを示す正面図である。
（ｃ）は、遮蔽部材付き通気部材２１と枠材１２と押さえ板４７Ｂの長穴に雌ネジと雄ネジ４８（六角穴付き全ネジボルト）を挿入した時を示す正面図である。
下部の枠材１２(支持材)は奥が広い溝５０を備え、その上に遮蔽部材付き通気部材２１の縁部が接する位置に配置され、その上に押さえ板４７Ａの長穴５３を奥が広い溝５０の上にくる位置に配置され、その上に座金５２と雌ネジ５１を嵌合した雄ネジ４８の配置を示しており、装着方向５４に枠材１２に遮蔽部材付き通気部材２１を接面し、次に押さえ板４７Ａを接面し、次に押さえ板４７Ａの長穴５３を通過する雌ネジ５１をさらに枠材１２の奥が広い溝５０部まで挿入し（座金５２は長穴５３を通過できない大きさにする）雄ネジ４８を回して締めて固着させることを示している。
（ｂ）は、ネジ部を構成する部材を示した図である。
（ｃ）は、雌ネジと雄ネジ４８（六角穴付き全ネジボルト）の部材を示した図である。
（ｄ）は、断面図であり、各部を構成する部材を示した図である。
【産業上の利用可能性】
【００４９】
建造物の開口部において、本発明の遮蔽部材付き通気部材を用いることで公知のルーバーの構造や可動方法を組み合わせて多種多様な製品に対応できる。また、リール又はローラー等に巻き込むことでロール式網戸の網部分に代わるロール式遮蔽部付き通気体として使用することも可能である。また、部材には撥水処理または光触媒処理等を施しても良い。
【図面の簡単な説明】
【００５０】
【図１】遮蔽部付き通気体の実施方法を示した説明図である。（実施例１）
【図２】遮蔽部付き通気体の実施方法を示した説明図である。（実施例２）
【図３】遮蔽部付き通気体の実施方法を示した説明図である。（実施例３）
【図４】遮蔽部付き通気体の実施方法を示した説明図である。（実施例４）
【図５】遮蔽部付き通気体の実施方法を示した説明図である。（実施例５）
【図６】遮蔽部付き通気体の実施方法を示した説明図である。（実施例６）
【図７】遮蔽部付き通気体の実施方法を示した説明図である。（実施例７）
【図８】遮蔽部付き通気体の実施方法を示した説明図である。（実施例８）
【図９】遮蔽部付き通気体の実施方法を示した説明図である。（実施例９）
【図１０】遮蔽部付き通気体の実施方法を示した説明図である。（実施例１０）
【図１１】遮蔽部付き通気体の実施方法を示した説明図である。（実施例１１）
【図１２】遮蔽部付き通気体の実施方法を示した説明図である。（実施例１２）
【図１３】遮蔽部付き通気体の実施方法を示した説明図である。（実施例１３）
【図１４】遮蔽部付き通気体の実施方法を示した説明図である。（実施例１４）
【図１５】遮蔽部付き通気体の実施方法を示した説明図である。（実施例１５）
【図１６】遮蔽部付き通気体の実施方法を示した説明図である。（実施例１６）
【図１７】遮蔽部付き通気体の実施方法を示した説明図である。（実施例１７）
【図１８】遮蔽部付き通気体の実施方法を示した説明図である。（実施例１８）
【図１９】遮蔽部付き通気体の実施方法を示した説明図である。（実施例１９）
【図２０】遮蔽部付き通気体の実施方法を示した説明図である。（実施例２０）
【符号の説明】
【００５１】
１  通気部材
２  遮蔽部材
３  覆体
４  傾斜面
５  接合部
６  取付部
７  雄係合部
８  雌係合部
９  設定角度
１１  空間
１２  枠材
１３  網線
１４  切断部
１５  脱去方向
１６  脱去跡
１７  遮体部
１８  係止部
１９  押し込み部
２０  網面
２１  遮蔽部材付き通気部材
２２Ａ、２２Ｂ  網材押さえ
２３  網材
２６  傾斜角
２７  リール
２８  可動イレコ
２９  ガイド部
３０  通気穴
３１  スライド方向
３５  圧入方向
３６  凸状部
３７  接面方向
３８  充填部
３９  装着用穴
４０  吊り下げ紐
４１  横部材
４２  巻き込み部
４３  結び部
４４  脱去破壊部
４５  高温材
４６  網目
４７Ａ、４７Ｂ  押さえ板
４８  雄ネジ
４９  切断仮想部
５０  奥が広い溝
５１  雌ネジ
５２  座金
５３  長穴
５４  厚調整凸部
５５  長手寸法
５６  幅寸法
５７  厚み方向
５８  穴幅寸法
５９  穴長寸法
６０  溝入口幅寸法
６１  溝奥幅寸法
６２  溝奥懐高寸法
６３  回転方向
６４  雌取り付け角度
６５  ナット
【図１】
2008025101.tif 000003
【図２】
2008025101.tif 000004
【図３】
2008025101.tif 000005
【図４】
2008025101.tif 000006
【図５】
2008025101.tif 000007
【図６】
2008025101.tif 000008
【図７】
2008025101.tif 000009
【図８】
2008025101.tif 000010
【図９】
2008025101.tif 000011
【図１０】
2008025101.tif 000012
【図１１】
2008025101.tif 000013
【図１２】
2008025101.tif 000014
【図１３】
2008025101.tif 000015
【図１４】
2008025101.tif 000016
【図１５】
2008025101.tif 000017
【図１６】
2008025101.tif 000018
【図１７】
2008025101.tif 000019
【図１８】
2008025101.tif 000020
【図１９】
2008025101.tif 000021
【図２０】
2008025101.tif 000022
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向にジグザグ状または波形状に所定間隔あけて複数設けてあるとともに、通気部材（１）はリール（２７）に対して巻き込みまたは巻き戻し可能であり巻き込んで輸送し巻き戻し伸ばして建造物通気部に用いることが可能であることを特徴とする遮蔽部材付き通気部材。
【請求項２】
建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向に一方の遮蔽部材（２）が他方の遮蔽部材（２）と交差して設けてあるとともに、通気部材（１）はリール（２７）に対して巻き込みまたは巻き戻し可能であり巻き込んで輸送し巻き戻し伸ばして建造物通気部に用いることが可能であることを特徴とする遮蔽部材付き通気部材。
【請求項３】
遮蔽部材（２）の縦横の各方向に所定間隔で垂直方向に突出する凸状部材を点在して設けてあることを特徴とする請求項１又は２に記載の遮蔽部材付き通気部材。
【請求項４】
請求項１〜３のいずれかに記載の遮蔽部材が射出成形により一体的に接合してなる遮蔽部材付き通気部材。
【請求項５】
前記建造物開口部には上下枠材と左右枠材とで枠組みされた枠体が設置され、該枠体は網材押さえ用溝部を備えており、前記通気部材（１）と遮蔽部材（２）の縁部を網材押さえによって網材押さえ用溝部に押し込み固定して枠体に通気部材（１）を張設したことを特徴とする請求項１〜４のいずれかに記載の遮蔽部材付き通気部材を用いた建具。
【請求項６】
巻き込みまたは巻き戻し可能であるロール式網戸の網部分に遮蔽部材付き通気部材を使用することを特徴とする請求項１〜４のいずれかに記載の遮蔽部材付き通気部材を用いた建具。
【手続補正２】
【補正対象書類名】明細書
【補正対象項目名】００１１
【補正方法】変更
【補正の内容】
【００１１】
本発明は請求項１として、建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向にジグザグ状または波形状に所定間隔あけて複数設けてあるとともに、通気部材（１）はリール（２７）に対して巻き込みまたは巻き戻し可能であり巻き込んで輸送し巻き戻し伸ばして建造物通気部に用いることが可能であることを特徴とする遮蔽部材付き通気部材とする。また本発明全般について下記内容に設定可能である。
通気部材（１）が切断後に切断端部からのほつれまたは裂けるのを遮蔽部材（２）にて防止してあることを特徴とする遮蔽部材付き通気部材とし、通気部材はその表面から裏面を越えて通る場合と表面から裏面を越えず同一面までに通る場合がある。また、遮蔽部に対し所定部位の色彩変更や、外観形状に意匠性を持たせる場合または異物侵入防止、遮熱及び遮光機能を高めた意匠の異なる覆体を付帯する場合は建造物開口部に用いる、網体または孔付きシートからなる通気部材（１）に覆体（３）を取り付けてなる遮蔽部付き通気部材であって、前記通気部材（１）はその表面または裏面に丸形断面または異形断面からなる長棒状部材で形成した取付部（６）を有する遮蔽部材（２）を通気部材（１）と一体的に接合部（５）で接合して、縦あるいは横方向または斜め方向に所定間隔あけて複数設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記遮蔽部材（２）の取付部（６）に付帯部品となる覆体（３）を着脱可能に嵌合してあることを特徴とする遮蔽部材付き通気部材とする場合もある。また、通気部材は建造物開口部の左右縦支持部材間または、上下横支持部材間あるいは、上下枠材と左右枠材とで枠組された枠体もしくは、建造物開口部に張設して通気する通気する部材にあって、通気部材（１）の表面又は裏面から、丸形断面又は異形断面を有し平面方向に延伸する長棒状部材又は丸形断面又は異形断面を有し垂直方向に突出する凸状部材を有する遮蔽部材（２）を縦方向又は横方向に所定間隔にて備え、遮蔽部材（２）は遮体部（１７）と、断面外周に通気部材（１）とをつなげる接合部（５）とを有し、遮体部（１７）は異物侵入防止、遮熱及び遮光機能を有する部分であり、接合部（５）は通気部材（１）と遮蔽部材（２）とを接する部分であり、通気部材（１）と遮蔽部材（２）とを接合部（５）にて一体的に形成する。さらに説明すれば（ネット状）通気部材は、合成樹脂や金属等の板状材に貫通孔を設ける（打ち抜き等）や、織物、編物（平織り等）に代表される通気性がある網材や、花粉侵入防止シート等が有り、その通気部材（網材）に接着、（熱）溶着、溶接、圧着、刺着、カシメ、嵌着、縫着、係合、縛合、の各接合したものにさらに、（熱）溶着をすることでより強固にまたは意匠に富む構成が可能となる場合も有り（金型による樹脂成型射出成形又は真空成形の場合も有る）各種公知の技術等にて遮蔽部材を取り付けられる場合が有り、また、シート状の無通気フイルムにスリットや加熱（射出成形又は真空成形の場合も有る）する金型を使用して、表面又は裏面に複数の凹部又は凸部を形成する遮蔽部材を設け、さらに害虫の入らない程度（２ｍｍ程度以下）の通気口を設けられる場合があり、どちらの場合においてもロール状に巻いた製品を連続的に金型成形加工にて生産することが可能である。（公知の技術なので図示せず）また、（ネット状）通気部材は通常量産されていのものであっても遮蔽部材に棒状または粒状の金属や、セラミック、ファイバー（高強度の芯材を用いた複合材を使用しても良い）等を混入して使用することで強度が上げることができるため防犯に寄与する設定も可能である。なお、遮蔽部材付き通気部材の建造物開口部への装着方法は装着材に当接させて押さえ板とネジによる固定や、磁石や、粘着テープや、クリップや、その他公知の組み合わせにて対応可能である。なお、遮蔽部材は直線だけでなく曲線にすることや、縦方向と横方向を組み合わせて例えば格子状にする場合もある。なお、遮体部を通気部材面より外面側に凸部を形成することで異物との接触による破損から通気部材を守ることや、異物侵入防止をする働きがあり、この凸部は１ｍｍ以下であっても無いものと比べると強度が大幅に増大すると共にプライバシーの保護の観点では、遮蔽部材と直交する方向からが最も遮光できることから、遮蔽部材を縦方向に並べた場合は左右斜め方向からの、遮蔽部材を横方向に並べた場合は上下斜め方向からの視線を遮る効果が増大する。なお、普及タイプの網戸の一部にみられる、枠体に設けられた網材押さえ用溝に通気部材を弾性チューブにて押し込み固定する場合はその押さえ溝の幅と深さが８ｍｍ以下のものが多く存在しているため遮蔽部材の凸部の凸出量は３ｍｍ以下（少なくても押さえ溝の幅と深さの半分以下）にすると固着が容易となる。また、遮体部の大きさと、不透明、（半）透明、及び色により透光量の各種設定をすることにより遮熱及び遮光をする働きがある。これにより夏場等に屋内に太陽光が入り眩しすぎるまたは、室温が上昇することを抑える働きがある。
【手続補正３】
【補正対象書類名】明細書
【補正対象項目名】００１２
【補正方法】変更
【補正の内容】
【００１２】
本発明は請求項２として、建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向に一方の遮蔽部材（２）が他方の遮蔽部材（２）と交差して設けてあるとともに、通気部材（１）はリール（２７）に対して巻き込みまたは巻き戻し可能であり巻き込んで輸送し巻き戻し伸ばして建造物通気部に用いることが可能であることを特徴とする遮蔽部材付き通気部材とする。また本発明全般について下記内容に設定可能である。
建造物通気部に用いる網体または多孔体からなる通気部材（１）に遮蔽部材（２）を一体的に接合してなる遮蔽部材付き通気部材であって、前記通気部材はその表面と裏面を通る遮蔽部材（２）が通気部材（１）と一体的に接合部（５）で前記網体の網線周囲を溶着材が充填して接合する、または前記多孔体の多孔部に溶着材が通って接合するものであり、遮蔽部材（２）は長棒状に形成した丸形断面または異形断面からなり通気部材（１）の平面方向にジグザグ状または波形状に所定間隔あけて複数設けるあるいは一方の遮蔽部材（２）が他方の遮蔽部材（２）と交差して設ける、または縦横の各方向に所定間隔で通気部材（１）の表裏を通る異形断面を有し垂直方向に突出する凸状部材を点在して設ける、のいずれかの設定にて設けてあるとともに、通気部材（１）が切断後に切断端部からのほつれまたは裂けるのを遮蔽部材（２）にて防止してあることを特徴とする遮蔽部材付き通気部材とする。ここでプライバシーの保護の観点では、遮蔽部材と直交する方向からが最も遮光することから、平面方向にジグザグ状または波形状に所定間隔あけて複数設けるあるいは一方の遮蔽部材（２）が他方の遮蔽部材（２）と交差して設ける、または縦横の各方向に所定間隔で通気部材（１）の表裏を通る異形断面を有し垂直方向に突出する凸状部材を点在して設けることによって上下左右の各斜め方向からの視線を遮る効果が増大する。
また、前記通気部材（１）は縦横の各方向に所定間隔で、通気部材（１）の表裏を通る異形断面を有し垂直方向に突出する凸状部材である複数の屋外に向けて上部から斜め下方向に向けた傾斜面を有した遮蔽部材（２）を点在して備えることも可能であり、さらに遮蔽部材（２）に雄係合部（７）または該雄係合部（７）と嵌着する雌係合部（８）のどちらか一方を固着してあり、前記覆体（３）には該雄係合部（７）または雌係合部（８）の内他方を設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記通気部材（１）または前記覆体（３）の一方に設けた雄係合部（７）と他方に設けた雌係合部（８）を嵌着して、付帯部品となる覆体（３）を着脱可能に取り付けてあることを特徴とする遮蔽部材付き通気部材とすることも可能である。また、通気部材は遮蔽部材（２）に遮体部（１７）と他の覆体（３）に設けられた係止に対応する取付部（６）を有し、遮体部（１７）は異物侵入防止、遮熱及び遮光機能を有する部分であり、取付部（６）は他の付帯部品となる覆体（３）に設けられた係止に対応する雌又は雄の接合にて一対に接合する部分であり、覆体（３）は遮蔽部材（２）の取付部（６）と一対にて嵌着し、姿勢保持して係止する係止部（１８）を有し、接合部（５）は通気部材（１）と遮蔽部材（２）とを接する部分であり、通気部材（１）と遮蔽部材（２）とを接合部（５）にて一体的に形成する場合もある。さらに説明すれば覆体は、遮蔽部材の遮体部と同様に、大きさ、不透明、（半）透明、及び色や模様により透光量設定をすることにより遮熱及び遮光をする働きを設定できるものであり遮蔽部付き通気部材とは別部品であるため、一体的に形成するよりも製造方法の自由度があるため、形状もルーバー状又は、暖簾状以外にも立体像や、動植物の模造や、各種マークなど意匠性に優れた様々な造形を形成可能である。また、遮蔽部材に設けられる接合部は他の覆体に設けられた係止部に一対にて対応するものであれば、雌又は雄はどちらに設定しても良い。また、係止方法は所定の間隔を連続して設けた場合は、ポイント的となる穴と軸による組み合わせ（衣類のプッシュ式ボタンと類似の雌と雄の組み合わせなど）にて押し込み圧入にて係止する場合と、断面の入り口が狭く奥が広い形状を有する接合部と他の覆体に設けられた係止部に（一対にての場合もある）対応する一方の断面の凸部と他方の断面の凹部（ガイド溝）を添わせて挿入する方向にスライドして組み合わせて係止する場合がある。さらに、固定を強くすることを希望する場合は接着剤を併用してもよい。また、所定の長手方向の長さを設定する場合もあり、この場合の長手方向の長さは必ずしも同一にしなくても差をつけることも有り、端部にて覆体のみを長く設定して遮蔽部が外観から見えにくくする場合もあり、この場合は外見をすっきりできる。また、覆体は遮蔽部よりも大きくすることで通気部材から表面側または裏面側に、突出又は隆起する傾斜面を同時成形する等の様に一体的に設けるものより、突出高さを低くできるため（金型又は製品）製作を容易（安価）にでき、さらにロール状に巻いた場合も同じ外径でも傾斜面を同時成形するものより巻き数量を増加できる。
【手続補正４】
【補正対象書類名】明細書
【補正対象項目名】００１３
【補正方法】変更
【補正の内容】
【００１３】
本発明は、請求項３として遮蔽部材（２）の縦横の各方向に所定間隔で垂直方向に突出する凸状部材を点在して設けてあることを特徴とする請求項１又は２に記載の遮蔽部材付き通気部材とする。また本発明全般について下記内容に設定可能である。
通気部材（１）と遮蔽部材（２）とをはがして分離する際に、通気部材（１）の材質よりも脆弱な材質に遮蔽部材（２）を設定し、通気部材（１）から遮蔽部材（２）をはがし取っても通気部材（１）に損傷を与えない接合力を接合部（５）が有することを特徴とする請求項１または２に記載の遮蔽部材付き通気部材とし、通気部材（１）に高強度の金属（ステンレス、アルミ合金）または各種ファイバー及び繊維等を用い、遮蔽部材（２）に各種樹脂、ゴム、シリコンなどを比較的脆弱な部材を用いて、その強度差にて遮蔽部材（２）のみが破壊されることが可能となり通気部材（１）に損傷を与えない接合力を設定することによって不要部を脱去（削除）することが可能となる。また、各種覆体（３）が、通気部材（１）から表面側または裏面側に突出又は隆起する傾斜面（４）を有する場合もあり、さらに説明すれば、（ネット状）通気部材から表面側または裏面側に、突出又は隆起する傾斜面がルーバーの機能を有するため傾斜角度と大きさと色、柄設定によって日光の当たりすぎ防止、防塵、防水、防風、遮熱、プライバシーの保護を加味した設定をすることができる。特に、傾斜面の下部に雨水がかかりにくくなるため普及している通気網に見られる水の表面張力にて網目が塞がって通気性が減少することを抑えることができる。また、遮蔽部材（２）と覆体（３）を溶着にて一体化した場合には覆体（３）の不要部を切断等にて遮蔽部材（２）と共に脱去（削除）する場合もある。また、通気部材（１）と遮蔽部材（２）が、折り曲げても破損しない弾性を有すること又は、刃物にて切断することが可能である場合もあり、さらに説明すれば、弾性を有することにより外周のエッジ部等に触れて怪我をする危険性を減らすことができる。また、従来より使用されている網戸において普及している網材の装着方法例として弾性を有す（チューブ材など）網材押さえによる網材固定方法においては、遮蔽部材の厚み（もしくは径）と固定に使用する網材押さえの断面の太さを考慮して、枠体の網材押さえ用の嵌溝に適正な押し込み具合となる太さの組み合わせを選択することで通常の作業内容にて装着することができる。また、切断に使用する刃物は普及しているハサミやカッター等でも切断できる程度にすれば特別な専用工具が必要なく経済的である。
【手続補正５】
【補正対象書類名】明細書
【補正対象項目名】００１４
【補正方法】変更
【補正の内容】
【００１４】
本発明は、請求項４として請求項１〜３のいずれかに記載の遮蔽部材が射出成形により一体的に接合してなる遮蔽部材付き通気部材とする。また本発明全般について下記内容に設定可能である。
通気部材（１）と遮蔽部材（２）とをはがして分離する際に、通気部材（１）は遮蔽部材（２）よりも耐熱強度が高く、遮蔽部材（２）の接合部（５）を温めて柔らかくして接合力を弱めた状態にて通気部材（１）から遮蔽部材（２）をはがし取っても通気部材（１）に損傷を与えないことを特徴とする請求項１〜３に記載の遮蔽部材付き通気部材とし、接合部（５）が高温になると柔らかくなる材質を用いて、接合部に熱風（気体）熱水（液体）またはヒーター等にて通気部材（１）が耐熱強度を保てる温度以下に調温した熱材（固体）にて接合部（５）を高温にし部材を柔らかくすることによって、通気部材（１）から遮蔽部材（２）をはがし取りやすくすることが容易となる場合がある。また、さらに説明すれば、接合部（５）の面積を多くとれば接合強度を上げることができるが、実際の使用に耐えられる強度があれば適正な接合面積と適正な所定間隔の設定にて接合部面積を減らすことで、各種の接合にかかるコスト（接合時間、接着剤）を抑えることが可能となる他に、各々の接合部（５）と他の接合部（５）間にて刃物等で切断することが可能となるため設置場所の長さに合わせて長手方向を切断する作業において、通気部材を傷めにくくできる。また、接合部（５）を冷まして接合力を再度高めるものであるが、装着温度（気温）のレンジが広く設定できることが望ましい。
【手続補正６】
【補正対象書類名】明細書
【補正対象項目名】００１５
【補正方法】変更
【補正の内容】
【００１５】
本発明は、請求項５として前記建造物開口部には上下枠材と左右枠材とで枠組みされた枠体が設置され、該枠体は網材押さえ用溝部を備えており、前記通気部材（１）と遮蔽部材（２）の縁部を網材押さえによって網材押さえ用溝部に押し込み固定して枠体に通気部材（１）を張設したことを特徴とする請求項１〜４のいずれかに記載の遮蔽部材付き通気部材を用いた建具とする。また本発明は下記内容に設定可能である。
前記請求項１〜４に記載の遮蔽部材（２）に覆体（３）を取り付けてなる遮蔽部材付き通気部材であって、遮蔽部材（２）の取付部（６）に付帯部品となる覆体（３）が異物侵入防止、遮熱、遮光のいずれかの機能を高めることまたは複数の覆体（３）のそれぞれが意匠の異なる組み合わせにて嵌合することを特徴とする覆体とし、付帯部品となる覆体（３）は着脱可能に取り付けてある場合と、通気部材（１）と遮蔽部材（２）と覆体（３）が一体的に接合部（５）で通気部材（１）（網体であれば網線周囲）に溶着材が充填して接合する場合もある。
または前記建造物通気部には上下支持材または左右支持材で所定間隔に複数設置され、該支持材は奥が広い溝（５０）部を備えており、前記通気部材（１）と遮蔽部材（２）の縁部を押さえ板（４７Ａ、４７Ｂ）と雄ネジ（４８）と雌ネジ（５１）によって締固定して支持材に通気部材（１）を張設したことを特徴とする請求項１〜５に記載の遮蔽部材付き通気部材を用いた建具とし、さらに説明すれば従来より使用されている枠、戸等に用いられる通気体と同様の固定方法に合わせる、特に網戸において普及している弾性を有す網材押さえによる網材固定方法等と同様な固定方法を望む場合に、固定部に該当する部分の遮蔽部材が邪魔になってしまい固定が難しくなる場合があるが、邪魔な部分の遮蔽部材を脱去するための方法として、遮蔽部材の必要部分と不要部分の境を刃物で通気部材を傷つけない様に切断し、分離する際に不要部分をペンチ等のはさむ工具にてつかみ、脱去方向にはがす方法がある。なお、通気部材の強度を保って分離することが可能である接合力に設定する必要が有るが、接合力の調整は、溶着（接着剤、コーキング材）の長さ単位当たりの使用量と使用面積当たりの使用量を増して強固にする、または使用量を減らして脆弱にすることや、溶着する原材質の選定にて溶着強度の高い材料を用いて強固にする、または溶着強度の低い材料を用いて脆弱にすることにて対応可能である。また、通気部材を金属（ステンレスや、アルミ合金）や、強度のある繊維等を用いるまたは芯材を有す高強度の複合合成樹脂等とし、遮体部材をゴムや、シリコンやその他樹脂などの脆弱な設定にする場合は素材の強度に大きな差が有るので一体化された遮蔽部材付き通気部材から遮体部材を引っ張る又はちぎり取ることが容易にできる。また、遮蔽部材と網線（通気部材）との接合する接合部（５）が網線の周囲を充填した場合に遮蔽部材の材質と網線の材質とを接着できにくい相性に設定することで分離が容易になるばかりか脱去跡も無くすことも容易となる。なお、接着相性が良い材質どうしの場合はメッキやコーティングなどの表面処理を施して接着の相性を悪くしても良い。また、接合部の肉厚を増減することでも接合強度が変化するので接合力の調整が可能である。
【手続補正７】
【補正対象書類名】明細書
【補正対象項目名】００１６
【補正方法】変更
【補正の内容】
【００１６】
本発明は、請求項６として巻き込みまたは巻き戻し可能であるロール式網戸の網部分に遮蔽部材付き通気部材を使用することを特徴とする請求項１〜４のいずれかに記載の遮蔽部材付き通気部材を用いた建具とする。
【手続補正８】
【補正対象書類名】図面
【補正対象項目名】図３
【補正方法】変更
【補正の内容】
【図３】
2008025101.tif 000023